(57)【特許請求の範囲】
【請求項１】
照明部と；
前記照明部に対する制御を指示する制御信号の一方の極側を半波整流した第１の信号と、前記制御信号の他方の極側を半波整流した第２の信号とを生成する整流部と；
前記整流部が生成した前記第１の信号および前記第２の信号を受信する受信部と；
前記受信部で受信した第１の信号と第２の信号、または第１の信号と第２の信号のいずれか一方から前記制御信号に対応する制御方式を特定する特定部と；
前記特定部が特定した制御方式にそって、前記受信部が受信した信号が指示する制御を導出し、当該導出した制御を前記照明部に対して行う制御部と；
を具備する照明装置。
【請求項２】
利用者により所定の電圧が印加される複数の入力部；
を具備し、
前記特定部は、前記入力部に印加された電圧の値、または、電圧が印加された入力部の組合わせに応じて、前記制御信号に対応する制御方式を特定する請求項１に記載の照明装置。
【請求項３】
前記特定部は、前記制御方式を特定する特定モードを備え、当該特定モードが有効となった場合にのみ、前記制御信号に対応する制御方式を特定する請求項１または２に記載の照明装置。
【請求項４】
照明装置と、上位装置とを有する照明システムにおいて、
前記上位装置は、
前記照明装置に対して、照明の制御を指示する制御信号を送信する送信部；
を具備し、
前記照明装置は、
照明部と；
前記照明部に対する制御を指示する制御信号の一方の極側を半波整流した第１の信号と、前記制御信号の他方の極側を半波整流した第２の信号とを生成する整流部と；
前記整流部が生成した前記第１の信号および前記第２の信号を受信する受信部と；
前記受信部で受信した第１の信号と第２の信号、または第１の信号と第２の信号のいずれか一方から前記制御信号に対応する制御方式を特定する特定部と；
前記特定部が特定した制御方式にそって、前記受信部が出力する信号が指示する制御を導出し、当該導出した制御を前記照明部に対して行う制御部と；
を具備する照明システム。
【請求項５】
前記送信部は、前記制御信号に対応する制御方式を示す方式信号を出力し、
前記特定部は、前記送信部から出力された方式信号が示す制御方式を特定する請求項４に記載の照明システム。
【請求項６】
上位装置から受信した照明の制御信号に従って、前記照明を制御する照明装置における制御方法であって、
前記照明に対する制御を指示する制御信号の一方の極側を半波整流した第１の信号と、前記制御信号の他方の極側を半波整流した第２の信号とを生成する工程と；
前記第１の信号と第２の信号、または第１の信号と第２の信号のいずれか一方から前記制御信号に対応する制御方式を特定する工程と；
特定された制御方式にそって、前記信号が指示する制御を導出し、当該導出した制御を前記照明に対して行う工程と；
を含む制御方法。
【発明の詳細な説明】
【技術分野】
【０００１】
本発明の実施形態は、照明装置、照明システムおよび制御方法に関する。
【背景技術】
【０００２】
近年、複数の照明器具を個別に制御することを可能にする照明器具制御システムが知られている。かかる照明器具制御システムは、消灯、点灯、照度の変更等の制御を指示する制御信号を各照明器具に対して送信する上位装置と、上位装置から受信した制御信号に従ってＬＥＤ（Light  Emitting  Diode）等の照明器具を制御する電源装置を備えた照明器具とを有する。しかしながら、上位装置が各照明器具に対して送信する制御信号は、照明器具制御システムの種別ごとに異なる。このため、従来の照明器具は、照明器具制御システムの種別ごとに異なる制御信号に対応した電源装置を要するので、同一機種で複数種別の照明器具制御システムに対応することができない。
【先行技術文献】
【非特許文献】
【０００３】
【非特許文献１】“照明器具個別制御システム  T/Flecs（ティーフレックス）  |  照明制御・航空障害灯  |  商品紹介  |  東芝ライテック(株)”、［online］、［平成２５年８月２２日検索］、インターネット＜http://www.tlt.co.jp/tlt/products/system/t_flecs.htm＞
【発明の概要】
【発明が解決しようとする課題】
【０００４】
本発明が解決しようとする課題は、複数種別の照明器具制御システムに対応する照明装置を提供することである。
【課題を解決するための手段】
【０００５】
実施形態に係る照明装置は、照明部と、整流部と、受信部と、特定部と、制御部とを備える。照明部は、任意の場所を照明する。整流部は、照明部に対する制御を指示する制御信号を半波整流した第１の信号と、制御信号を半波整流した第２の信号とを生成する。受信部は、整流部が生成した第１の信号および第２の信号を受信する。特定部は、前記第１の信号と第２の信号、または第１の信号と第２の信号のいずれか一方から制御信号に対応する制御方式を特定する。制御部は、特定部が特定した制御方式にそって、受信部が受信した信号が指示する制御を導出し、当該導出した制御を前記照明部に対して行う。
【図面の簡単な説明】
【０００６】
【図１】図１は、第１の実施形態に係る照明システムの構成例を示す図である。
【図２】図２は、第１の実施形態に係る照明装置の構成例を説明する図である。
【図３】図３は、制御信号の種別を説明する図である。
【図４】図４は、整流回路の一例を説明する図である。
【図５】図５は、第１の実施形態に係るインターフェース回路の構成例を説明する図である。
【図６】図６は、第１の実施形態に係るマイコンが有する機能構成を説明する図である。
【図７】図７は、第１の実施形態に係る照明装置が実行する処理の手順を示すフローチャートである。
【図８】図８は、第１の実施形態に係るインターフェース回路の第１の変形例を説明する図である。
【図９】図９は、第１の実施形態に係るインターフェース回路の第２の変形例を説明する図である。
【図１０】図１０は、第１の実施形態に係るインターフェース回路の第３の変形例を説明する図である。
【図１１】図１１は、半波整流した制御信号の立上りを遅延させて合成した際の波形を示す図である。
【図１２】図１２は、第１の実施形態に係るマイコンの第１の変形例を説明する図である。
【図１３】図１３は、第１の実施形態に係るマイコンが有する機能構成の変形例を説明する図である。
【図１４】図１４は、ピンスイッチと特定するシステムとの対応の一例を示す図である。
【図１５】図１５は、第１の実施形態に係るマイコンの第２の変形例を説明する図である。
【図１６】図１６は、ピンスイッチに印加される電圧の値と特定するシステムとの対応の一例を示す図である。
【発明を実施するための形態】
【０００７】
以下で説明する実施形態に係る照明装置５は、ＬＥＤ９と、受信部１６と、特定部１７と、制御部１８〜２０とを具備する。ＬＥＤ９は、任意の場所を照明する。受信部１６は、照明器具の制御信号を受信する。特定部１７は、受信部１６が受信した制御信号に対応する制御方式を特定する。制御部１８〜２０は、特定部１７が特定した制御方式にそって、受信部１６が受信した制御信号が指示する制御を導出し、当該導出した制御をＬＥＤ９に対して行う。
【０００８】
また、以下で説明する実施形態に係る照明装置５は、整流部１５を具備する。整流部１５は、制御信号を全波整流した第１の信号と、制御信号を半波整流した第２の信号とを生成する。また、受信部１６は、整流部１５が生成した第１の信号および第２の信号のうち、ＬＥＤ９に対して行う制御の導出に適したいずれかの信号を制御部１８〜２０に出力する。
【０００９】
また、以下で説明する実施形態に係る照明装置５は、複数の入力部２５ａ〜２５ｄを具備する。入力部２５ａ〜２５ｄは、利用者により所定の電圧が印加される。また、特定部１７は、入力部２５ａ〜２５ｄに印加された電圧の値、または、電圧が印加された入力部２５ａ〜２５ｄの組合わせに応じて、受信部１６が受信した制御信号に対応する制御方式を特定する。
【００１０】
また、以下で説明する実施形態に係る特定部１７は、制御方式を特定する特定モードを備え、特定モードが有効となった場合にのみ、受信部１６が受信した制御信号を用いるシステムを特定する。
【００１１】
また、以下で説明する実施形態に係る照明システム１は、照明装置５と、上位装置２とを具備する。上位装置２は、照明装置５に対して、照明の制御を指示する制御信号を送信する送信部を具備する。また、照明装置５は、ＬＥＤ９と、受信部１６と、特定部１７と、制御部１８〜２０とを具備する。ＬＥＤ９は、任意の場所を照明する。受信部１６は、照明器具の制御信号を受信する。特定部１７は、受信部１６が受信した制御信号に対するする制御方式を特定する。制御部１８〜２０は、特定部１７が特定した制御方式にそって、受信部１６が受信した制御信号が指示する制御を導出し、当該導出した制御をＬＥＤ９に対して行う。
【００１２】
また、以下で説明する実施形態に係る送信部は、所定のタイミングで、制御信号に対応する制御方式を示す方式信号を出力する。また、特定部１７は、送信部から出力された方式信号が示す制御方式を特定する。
【００１３】
以下、図面を参照して、実施形態に係る照明システム１および照明装置５を説明する。実施形態において同一の部位には同一の符号を付し、重複する説明は省略される。
【００１４】
（第１の実施形態）
まず、図１〜図７を用いて、第１の実施形態に係る照明システムついて説明する。
【００１５】
［照明システムの構成］
図１は、第１の実施形態に係る照明システムの構成例を示す図である。図１に示した照明システム１は、宅内やオフィス等に設置された照明装置の制御や監視を実現するシステムである。例えば、照明システム１は、Ｔ／Ｆｌｅｃｓ（登録商標）等、照明装置の設置された環境の情報をセンサ等で取得し、取得した情報に基づいて、照明装置の制御を行う場合がある。
【００１６】
図１に示した照明システム１は、上位装置２と複数の通信部３、４が接続される。また、通信部３は、複数の照明装置５〜７と接続される。また、通信部４は、照明装置８と接続される。また、照明装置５は、任意の場所を照明する照明部であるＬＥＤ９とＬＥＤ９の制御を行う電源制御部１０とを有する。なお、通信部４は、通信部３と同様の機能を発揮するものとして、以下の説明を省略する。また、照明装置６〜８は、照明装置５と同様の機能を発揮するものとして、以下の説明を省略する。また、図１に示す照明システム１が有する通信部３、４、照明装置５〜８の数は、一例に過ぎず、照明システム１の構成に応じて適宜変更可能である。
【００１７】
上位装置２は、通信部３、通信部４に対し、照明器具の制御を指示する制御信号を出力する。例えば、上位装置２は、通信部３に対し、照明装置５が有するＬＥＤ９の点灯、消灯、照度の変更、光の色の変更等、任意の制御を指示する制御信号を出力する。また、上位装置２は、照明器具の制御を行うために、任意の種別の制御方式を利用することができる。例えば、上位装置２は、照明器具を制御するために、Ｔ／Ｆｌｅｃｓ（登録商標）、ＤＡＬＩ（Digital  Addressable  Lighting  Interface）、ＰＷＭ（Pulse  Width  Modulation）等、様々な制御方式に対応する制御信号を出力する。
【００１８】
ここで、上位装置２は、制御方式ごとに異なる制御信号を出力する。例えば、上位装置２は、制御方式の種別に応じて、電圧の立上りや立下りの位置で制御内容を示す制御信号、一定の周期でパルスを分割した際に、立下りが存在するか立上りが存在するかで制御内容を示す制御信号、パルス幅の変調で制御内容を示す制御信号等を出力する。また、上位装置２は、制御方式の種別に応じて、電圧が正負両極の範囲で変化する制御信号や、電圧が正又は負の片方の範囲で変化する制御信号を出力する。
【００１９】
詳細な例を説明すると、上位装置２は、Ｔ／Ｆｌｅｃｓの制御信号を出力する場合は、電圧が正負両極の範囲で変化する複極信号であって、電圧の立上りや立下りの位置で制御内容を示す制御信号を出力する。また、上位装置２は、ＤＡＬＩの制御信号を出力する場合は、電圧が正又は負の片方の範囲で変化する単極信号であって、一定の周期でパルスを分割した際に、立下りが存在するか立上りが存在するかで制御内容を示す制御信号を出力する。また、上位装置２は、ＰＷＭを用いた制御信号を出力する場合は、単極信号であって、パルス幅の変調で制御内容を示す制御信号を出力する。
【００２０】
通信部３は、上位装置２と各照明装置５〜７との通信を中継する中継装置である。例えば、通信部３は、上位装置２から、ＬＥＤ９に対する制御を示す制御信号を受信すると、受信した制御信号を、ＬＥＤ９を有する照明装置５に出力する。また、通信部３は、照明装置５から、ＬＥＤ９の制御を終了した旨を示す応答信号や、ＬＥＤ９の状態を示す通知信号を受信した場合は、受信した応答信号や通知信号を上位装置２へ送信する。この結果、上位装置２は、ＬＥＤ９の制御が完了した旨や、ＬＥＤ９の調光状態を確認できる。
【００２１】
照明装置５は、例えば、宅内やオフィス等に設置された照明装置であり、交換可能な照明であるＬＥＤ９と、ＬＥＤ９の制御を行う電源制御部１０とを有する。また、照明装置５は、従来の照明装置と同様に、照明システム１の設置や更新を行う際に、設置や交換を行う単位となる。ここで、従来の照明装置は、特定種別の制御方式の制御信号にのみ対応していたので、上位装置２の制御方式ごとに、異なる電源制御部を有する必要があった。
【００２２】
一方、照明装置５が有する電源制御部１０は、以下の処理を実行する。まず、電源制御部１０は、通信部３から上位装置２が出力した制御信号を受信する。また、電源制御部１０は、受信した制御信号に対応する制御方式を特定する。例えば、電源制御部１０は、受信した制御信号の電位の変化、制御信号に含まれるパルスの波形、パルスの周期等に基づいて、受信した制御信号に対応する制御方式を特定する。そして、電源制御部１０は、特定した制御方式にそって、受信した制御信号が示す制御内容を導出し、導出した内容の制御をＬＥＤ９に対して実行する。
【００２３】
このため、照明装置５は、上位装置２の制御方式の種別によらず、同一の照明装置５で対応することができる。この結果、例えば、照明システム１は、上位装置２の制御方式を変更する際に、各照明装置５〜８を新たな制御方式に対応する照明装置と交換せずとも、新たな制御方式を用いて各照明装置５〜８を制御できる。また、照明システム１は、いずれかの照明装置が故障した際に、同一の照明装置を準備せずとも、故障した照明装置に代えて照明装置５を設置すればよい。この結果、照明システム１は、照明装置５〜８の設置や交換を柔軟に行うことができる。
【００２４】
［照明装置５の構成］
以下、図２を用いて、電源制御部１０の構成例を説明する。図２は、第１の実施形態に係る照明装置の構成例を説明する図である。図２に示すように、電源制御部１０は、電源回路１１、インターフェース回路１２、マイコン１３、制御回路１４を有する。また、電源回路１１には、ＬＥＤ９に供給される電力の電源が接続されている。
【００２５】
［電源回路１１］
電源回路１１は、制御回路１４による制御に応じて、ＬＥＤ９に対して供給する電力を変更する回路である。例えば、電源回路１１は、電源から電力の供給を受ける。そして、電源回路１１は、制御回路１４からの制御信号を受信すると、受信した制御信号に従って、電源から供給された電力をＬＥＤ９に供給する量の制御等を行うことで、ＬＥＤ９の点灯、消灯、照度の変更、光の色の変更等を行う。
【００２６】
［インターフェース回路１２］
インターフェース回路１２は、通信部３から受信した制御信号を整流する整流回路を有し、整流回路を用いて整流した制御信号をマイコン１３に出力する。具体的には、インターフェース回路１２は、マイコン１３が制御内容を識別できるようにするため、制御信号を単極側に整流する。
【００２７】
ここで、インターフェース回路１２は、上位装置２が複極信号を出力するのか単極信号を出力するのか解らないので、複極信号と単極信号との両方を適切に整流する必要がある。しかしながら、インターフェース回路１２は、通信部３から受信した制御信号を単純に全波整流または半波整流した場合は、制御信号の種別によっては、適切な整流を行えない場合がある。
【００２８】
以下、図３、図４を用いて、制御信号の種別と整流方法との対応について説明する。まず、図３を用いて、上位装置２が出力する制御信号の例について説明する。図３は、制御信号の種別を説明する図である。なお、図３には、上位装置２が出力する制御信号の例を複数記載した。
【００２９】
例えば、上位装置２は、図３中（Ａ）に示すように、電圧が正負両極の範囲で変化する複極信号を制御信号として出力する場合がある。また、上位装置２は、図３中（Ｂ）に示すように、電圧が正の範囲で変化する制御信号、または、図３中（Ｃ）に示すように、電圧が負の範囲で変化する単極信号を制御信号として出力する場合がある。
【００３０】
次に、図４を用いて、制御信号を整流する整流回路の例について説明する。図４は、整流回路の一例を説明する図である。なお、図４に示す例では、図４中（Ｄ）に制御信号を全波整流する整流回路の一例を記載し、図４中（Ｅ）に、制御信号を半波整流する整流回路の一例を記載した。また、図４では、ダイオードの記号とそれを囲むひし形の図形で整流回路を示したが、かかる整流回路は、ブリッジ型に限定されるものではなく、例えばトランスを用いた整流回路であってもよい。以下の説明および図面中では、整流回路を図４と同様の記号で示すものとする。
【００３１】
例えば、インターフェース回路１２は、図３中（Ｂ）および（Ｃ）に示す単極信号を整流する場合は、配線の方向によって正極側と負極側とのどちら側から信号が出力されるか解らないので、図４中（Ｄ）に示す回路の入力＃１に制御信号の正極側を入力し、入力＃２に制御信号の負極側を入力する。この結果、インターフェース回路１２は、出力＃１または出力＃２から、正極側に整流された制御信号を出力できる。
【００３２】
しかしながら、インターフェース回路１２は、図３中（Ａ）に示す複極信号を図４中（Ｄ）に示す回路に入力した場合は、複極信号の各極側の信号が正極側に集約されるため、出力＃１または出力＃２から直流電圧を出力してしまう。かかる場合、マイコン１３が制御信号から制御内容を識別できないので、インターフェース回路１２は、図４中（Ｄ）に示す回路では適切な整流を行えない。
【００３３】
また、例えば、インターフェース回路１２は、図３中（Ａ）に示す複極信号を整流する場合は、図４中（Ｅ）に示す回路の入力＃１および入力＃２に制御信号を入力する。この結果、インターフェース回路１２は、出力＃１または出力＃２から、単極側に整流された制御信号を出力できる。しかしながら、インターフェース回路１２は、図３中（Ｂ）または（Ｃ）に示す単極信号を図４中（Ｅ）に示す回路に入力した場合は、正極側の単極信号、または、負極側の単極信号のいずれかを出力できない。この結果、マイコン１３が制御信号から制御内容を識別できない場合が発生するので、インターフェース回路１２は、図４中（Ｅ）に示す回路では、適切な整流を行えない。
【００３４】
そこで、インターフェース回路１２は、制御信号を全波整流した信号と、制御信号を半波整流した信号とを生成する。そして、インターフェース回路１２は、生成した各信号をそれぞれマイコン１３に出力する。この結果、マイコン１３は、インターフェース回路１２から出力される各信号の少なくとも一方を用いて、制御信号が示す制御内容を識別することができる。
【００３５】
次に、図５を用いて、インターフェース回路１２の構成例を説明する。図５は、第１の実施形態に係るインターフェース回路の構成例を説明する図である。図５に示す例では、インターフェース回路１２は、制御信号の各極側を入力＃１および入力＃２とし、正極側の出力と負極側の出力とを合せた出力＃１、入力＃１と負極側の出力とを合せた出力＃２とを有する整流部１５を有する。なお、整流部１５は、例えば、ブリッジ型に接続したダイオードやトランスを備える回路によって実現される整流回路であり、ダイオードの記号とそれを囲むひし形の図形で記載した。また、整流部１５の出力＃１および出力＃２は、それぞれマイコン１３と接続されている。
【００３６】
かかるインターフェース回路１２は、整流部１５の出力＃１から制御信号を全波整流した信号をマイコン１３に出力し、整流部１５の出力＃２から制御信号を半波整流した信号をマイコン１３に出力する。このため、例えば、インターフェース回路１２は、通信部３から受信した制御信号が正極側または負極側の単極信号である場合には、マイコン１３が制御内容を識別可能な信号を、入力された単極信号の極に応じて、出力＃１または出力＃２のいずれかに出力し、通信部３から受信した制御信号が複極信号である場合は、マイコン１３が制御内容を識別可能な信号を出力＃２から出力することができる。
【００３７】
［マイコン１３］
図２に戻って説明を続ける。マイコン１３は、予め用意されたプログラムを実行することで、所定の機能を発揮するマイクロコントローラであり、例えば、ＡＳＩＣ（Application  Specific  Integrated  Circuit）やＦＰＧＡ（Field  Programmable  Gate  Array）等の集積回路により実現される。また、マイコン１３は、例えば、ＣＰＵ（Central  Processing  Unit）やＭＰＵ（Micro  Processing  Unit）等によって実現されてもよい。
【００３８】
ここで、マイコン１３は、予め用意されたプログラムを実行することで、以下の機能を発揮する。まず、マイコン１３は、インターフェース回路１２によって整流された信号を受信する。かかる場合、マイコン１３は、整流された信号を用いて、上位装置２の制御方式を特定する。すなわち、マイコン１３は、電源制御部１０が受信した制御信号に対応する制御方式を特定する。そして、マイコン１３は、特定した制御方式にそって、受信した信号が示す制御内容を導出し、導出した制御内容の実行指示を制御回路１４に出力する。
【００３９】
以下、図６を用いて、マイコン１３が有する機能構成の一例について説明する。図６は、第１の実施形態に係るマイコンが有する機能構成を説明する図である。図６に示す例では、マイコン１３は、受信部１６、特定部１７、複数の制御部１８〜２０を有する。なお、図６に示す例では、記載を省略したが、マイコン１３は、他にも制御部１８と同様の制御部を有しても良い。
【００４０】
受信部１６は、インターフェース回路１２から制御信号を受信する。例えば、受信部１６は、インターフェース回路１２から制御信号を整流した信号を受信する。かかる場合、受信部１６は、受信した信号のうち、制御信号が示す制御内容を識別するのに適した信号を選択する。
【００４１】
ここで、受信部１６は、照明装置５の設置後、初めて制御信号を受信した場合等、特定部１７から制御部の指定を受信していない場合は、インターフェース回路１２から受信した各信号を所定の時間間隔分だけ特定部１７に出力する。そして、受信部１６は、制御部１８〜２０のうち、信号の出力先となる制御部の指示を特定部１７から受信した場合は、その後インターフェース回路１２から受信した信号を特定部１７から指定された制御部へ送信する。
【００４２】
なお、受信部１６がインターフェース回路１２から受信した信号のうち、制御信号が示す制御内容を識別するのに適した信号を選択する処理としては、以下の処理を実行する。例えば、受信部１６は、インターフェース回路１２が図５に示す構成を有する際に複極信号を受信した場合は、出力＃１からは直流電圧を受信し、出力＃２からは整流された信号を受信する。また、受信部１６は、インターフェース回路１２が図５に示す構成を有する際に単極信号を受信した場合は、単極信号の極方向に応じて、出力＃２、若しくは、出力＃１と出力＃２との両方から整流された信号を受信する。このため、受信部１６は、出力＃１から受信した信号と出力＃２から受信した信号とのうち、パルスが含まれる信号を選択すればよい。
【００４３】
なお、上位装置２からＴ／Ｆｌｅｃｓの複極信号が入力された照明装置５は、入力信号と同じ信号線を介して応答を出力するが、かかる処理を実行した場合、複極信号における各極方向のバランスが崩れてしまう。そこで、受信部１６は、インターフェース回路１２が図５に示す構成を有する際に複極信号が入力された結果、インターフェース回路１２からパルスが含まれる信号を複数受信した場合は、電圧が優位な信号、すなわち、制御内容が識別しやすい方の信号を選択して、制御内容の識別を行えばよい。かかる処理を実行することで、受信部１６は、制御内容の特定に、より適した信号を用いるので、上位装置２と照明装置５とを接続する接続線におけるノイズの影響を軽減できる。
【００４４】
特定部１７は、照明装置５が受信した制御信号に対応する制御方式を特定する。例えば、特定部１７は、受信部１６が選択した信号を所定の時間間隔分受信する。そして、特定部１７は、受信した信号の電位の変化、信号に含まれるパルスの波形、パルスの周期等に基づいて、照明装置５が受信した制御信号に対応する制御方式を特定する。
【００４５】
以下、特定部１７が実行する処理の一例として、照明装置５が受信した制御信号に対応する制御方式が、Ｔ／Ｆｌｅｃｓであるか、ＤＡＬＩであるか、ＰＷＭであるかを判定する処理の一例について説明する。なお、実施形態は、これに限定されるものではなく、特定部１７は、制御信号の特性に応じて、照明装置５が受信した制御信号に対応する制御方式を特定すればよい。
【００４６】
まず、特定部１７は、照明装置５が受信した制御信号が複極信号であるか単極信号であるかを判定する。例えば、特定部１７は、インターフェース回路１２が図５に示す構成を有する際に、出力＃１側の信号が直流電圧であり、出力＃２側の信号が整流された信号である場合は、制御信号が複極信号であると判定する。そして、特定部１７は、制御信号が複極信号であると判定した場合は、照明装置５が受信した制御信号に対応する制御方式が、Ｔ／Ｆｌｅｃｓであると判定する。
【００４７】
一方、特定部１７は、インターフェース回路１２が図５に示す構成を有する際に、出力＃２側の信号が整流された信号、若しくは、出力＃１側と出力＃２側との両方が整流された信号である場合は、制御信号が単極信号であると判定する。ここで、特定部１７は、制御信号が単極信号であると判定した場合は、信号に含まれるパルスの各周期を判定する。
【００４８】
そして、特定部１７は、判定したパルスの周期が所定の閾値以下、例えば、１０ミリ秒以下となる場合は、照明装置５が受信した制御信号に対応する制御方式が、ＤＡＬＩであると判定する。一方、特定部１７は、判定したパルスの周期が所定の閾値より大きい場合は、パルスの周期が一定であるか否かを判定する。そして、特定部１７は、パルスの周期が一定であると判定した場合は、照明装置５が受信した制御信号に対応する制御方式が、ＰＷＭであると判定する。
【００４９】
ここで、ＤＡＬＩは、制御信号を所定の時間間隔（パルスの周期）で分割した際に、パルスの立上りが含まれるかパルスの立下りが含まれるかで制御内容を示すため、制御内容やパルスの周期を特定する際に用いた制御信号の時間間隔によっては、正確にパルスの周期を算出できない場合がある。そこで、特定部１７は、パルスの周期が一定ではないと判定した場合は、照明装置５が受信した制御信号に対応する制御方式が、ＤＡＬＩであると判定する。
【００５０】
また、特定部１７は、特定した制御方式にそって、制御信号から制御内容を導出し、導出した内容の制御をＬＥＤ９に対して行う制御部、すなわち、特定した制御方式に対応する制御部を受信部１６に指示する。例えば、特定部１７は、制御部１８がＴ／Ｆｌｅｃｓに対応し、制御部１９がＤＡＬＩに対応し、制御部２０がＰＷＭに対応する旨をあらかじめ記憶する。そして、特定部１７は、特定した制御方式がＴ／Ｆｌｅｃｓである場合は、受信部１６に制御部１８を通知し、特定した制御方式がＤＡＬＩである場合は、受信部１６に制御部１９を通知し、特定した制御方式がＰＷＭである場合は、受信部１６に制御部２０を通知する。
【００５１】
制御部１８〜２０は、それぞれ異なる制御方式にそって、制御信号から制御内容を導出し、導出した内容の制御をＬＥＤ９に対して実行する。例えば、制御部１８は、Ｔ／Ｆｌｅｃｓに対応する制御部であり、整流された制御信号を受信した場合は、受信した制御信号が示す制御内容をＴ／Ｆｌｅｃｓの規約にそって導出し、導出した制御内容を反映させるよう制御回路１４に指示する。また、制御部１９は、ＤＡＬＩに対応する制御部であり、整流された制御信号を受信した場合は、受信した制御信号が示す制御内容をＤＡＬＩの規約にそって導出し、導出した制御内容を反映させるよう制御回路１４に指示する。また、制御部２０は、ＰＷＭに対応する制御部であり、整流された制御信号を受信した場合は、受信した制御信号が示す制御内容をＰＷＭの規約にそって導出し、導出した制御内容を反映させるよう制御回路１４に指示する。
【００５２】
［制御回路１４］
図２に戻り、説明を続ける。制御回路１４は、マイコン１３が制御信号から特定した制御内容をＬＥＤ９に反映させる。例えば、制御回路１４は、ＬＥＤ９の点灯、消灯、照度の変更、光の色の変更等の制御内容をマイコン１３から受信した場合は、受信した制御内容を反映させるよう電源回路１１を制御することで、ＬＥＤ９に制御内容を反映させる。
【００５３】
［照明装置５による処理の手順］
次に、図７を用いて、照明装置５が受信した制御信号から、かかる制御信号に対応する制御方式を特定する処理の流れについて説明する。図７は、第１の実施形態に係る照明装置が実行する処理の手順を示すフローチャートである。図７に示すように、照明装置５は、制御信号を受信すると、受信した制御信号の信号波形が両極に存在するか否かを判定する（ステップＳ１０１）。
【００５４】
そして、照明装置５は、受信した制御信号の信号波形が両極に存在する場合は（ステップＳ１０１：Ｙｅｓ）、Ｔ／ＦｌｅｃｓでＬＥＤ９を制御し（ステップＳ１０２）、処理を終了する。一方、照明装置５は、受信した制御信号の信号波形が両極に存在しない場合は（ステップＳ１０１：Ｎｏ）、制御信号の周期が所定の閾値以下であるか否かを判定する（ステップＳ１０３）。そして、照明装置５は、制御信号の周期が所定の閾値以下であると判定した場合は（ステップＳ１０３：Ｙｅｓ）、ＤＡＬＩでＬＥＤ９を制御し（ステップＳ１０４）、処理を終了する。
【００５５】
一方、照明装置５は、制御信号の周期が所定の閾値よりも大きいと判定した場合は（ステップＳ１０３：Ｎｏ）、制御信号の周期が一定か否かを判定する（ステップＳ１０５）。そして、照明装置５は、制御信号の周期が一定であると判定した場合は（ステップＳ１０５：Ｙｅｓ）、ＰＷＭでＬＥＤ９を制御し（ステップＳ１０６）、処理を終了する。一方、照明装置５は、制御信号の周期が一定ではないと判定した場合は（ステップＳ１０５：Ｎｏ）、ＤＡＬＩでＬＥＤ９を制御し（ステップＳ１０４）、処理を終了する。
【００５６】
［第１の実施形態の効果］
上述したように、照明装置５は、照明器具の制御信号を受信する受信部１６と、受信部１６が受信した制御信号に対応する制御方式を特定する特定部１７と、特定部１７が特定した制御方式にそって、制御信号が示す制御を導出し、導出した制御を照明器具に対して行う制御部１８〜２０とを具備する。このため、照明装置５は、複数種別の制御方式に対応することができる。
【００５７】
また、照明装置５は、制御信号を全波整流した第１の信号と、制御信号を半波整流した第２の信号とを生成する整流部１５を有する。そして、受信部１６は、整流部１５が生成した第１の信号および第２の信号のうち、制御内容の特定に適したいずれかの信号を制御部１８〜２０に出力する。このため、照明装置５は、単一の回路を用いて、複極信号および単極信号を整流することができる。
【００５８】
また、照明システム１は、照明器具を有する照明装置５と、照明装置５に対して照明器具の制御信号を出力する上位装置２とを有する。ここで、照明装置５は、照明器具の制御信号を受信する受信部１６と、受信部１６が受信した制御信号に対応する制御方式を特定する特定部１７と、特定部１７が特定した制御方式にそって、制御信号が示す制御を導出し、導出した制御を照明器具に対して行う制御部１８〜２０とを具備する。このため、照明システム１は、任意の制御方式により、照明装置５が有する照明器具の制御を行うことができる。
【００５９】
（他の実施形態）
上述してきた照明システム１は、上記実施形態以外にも種々の異なる形態にて実施されてよい。そこで、以下では、上記の照明システム１の様々な変形例について説明する。
【００６０】
［インターフェース回路の第１の変形例］
図５に示すインターフェース回路１２の構成例は、あくまで一例であり、インターフェース回路１２は、他の構成例を有しても良い。例えば、インターフェース回路１２は、制御信号の各極側をそれぞれ半波整流し、半波整流した各信号をマイコン１３に出力しても良い。図８は、第１の実施形態に係るインターフェース回路の第１の変形例を説明する図である。例えば、図８に示す例では、インターフェース回路１２および整流部１５の他の構成例として、インターフェース回路１２ａと整流部１５ａとの構成を記載した。
【００６１】
例えば、整流部１５ａは、制御信号の各極側を入力＃１および入力＃２とし、入力＃１と負極側の出力とを合せた出力＃１、入力＃２と負極側の出力とを合せた出力＃２とを有する。かかるインターフェース回路１２ａは、通信部３から複極信号が入力された場合は、マイコン１３が制御内容を識別可能な信号を出力＃１および出力＃２のそれぞれから出力する。また、インターフェース回路１２ａは、通信部３から単極信号が入力された場合は、単極信号が正極側の単極信号であるか負極側の単極信号であるかに応じて、マイコン１３が制御内容を識別可能な信号を出力＃１または出力＃２から出力する。
【００６２】
かかる場合、図６に示した受信部１６は、インターフェース回路１２ａが複極信号を受信した場合は、出力＃１と出力＃２との両方から整流された信号を受信する。また、受信部１６は、インターフェース回路１２ａが単極信号を受信した場合は、単極信号の極方向に応じて、出力＃１、若しくは、出力＃２のいずれかから整流された信号を受信する。このため、受信部１６は、インターフェース回路１２ａの出力＃１から受信した信号と出力＃２から受信した信号とのうち、パルスが含まれる信号を選択すればよい。
【００６３】
また、特定部１７は、出力＃１側と出力＃２側との両方が整流された信号である場合は、制御信号が複極信号であると判定する。また、特定部１７は、出力＃１側、若しくは、出力＃２側のいずれかが整流された信号である場合は、制御信号が単極信号であると判定する。そして、特定部１７は、上述した処理を実行することで、制御信号に対応する制御方法を特定すればよい。
【００６４】
［インターフェース回路の第２の変形例］
上述したインターフェース回路１２は、制御信号を全波整流した信号と半波整流した信号との組をマイコン１３に出力した。しかしながら、実施形態はこれに限定されるものではない。例えば、インターフェース回路１２は、整流した信号から、制御内容を特定するためにより適した信号を選択し、選択した信号のみをマイコン１３に出力することで、インターフェース回路１２とマイコン１３との接続を１系統にまとめても良い。
【００６５】
図９は、第１の実施形態に係るインターフェース回路の第２の変形例を説明する図である。図９に示す例では、インターフェース回路１２ｂは、インターフェース回路１２と同様の整流部１５を有する。また、インターフェース回路１２ｂは、出力＃２の信号を整流する整流回路２１と、スイッチ２２とを有する。
【００６６】
整流回路２１は、整流部１５の出力＃２から出力された信号を整流する整流回路である。例えば、整流回路２１は、出力＃２から信号が出力されている場合には、スイッチ２２に直流電位を印加し、出力＃１から信号が出力されていない場合には、スイッチ２２に電圧の印加を行わない。
【００６７】
スイッチ２２は、出力＃１および出力＃２を入力とし、整流回路２１の出力に応じて、いずれか一方の入力をマイコン１３に出力するスイッチである。詳細には、スイッチ２２は、整流回路２１から直流電圧が印加された場合は、整流部１５が有する出力＃２から出力された信号をマイコン１３に出力し、整流回路２１から直流電圧が印加されていない場合は、整流部１５が有する出力＃１から出力された信号をマイコン１３に出力する。
【００６８】
かかる動作により、インターフェース回路１２ｂは、整流部１５が有する出力のうち、制御内容を特定するために適した信号をマイコン１３に出力することができる。この結果、マイコン１３は、信号の選択処理を行わずとも、インターフェース回路１２ｂが出力する信号を用いて、ＬＥＤ９の制御を行うことができる。なお、マイコン１３は、照明装置５が上述したインターフェース回路１２ｂを有する場合、通信部３から直接制御信号を取得し、取得した制御信号を用いて、制御方式の特定処理を実行すればよい。
【００６９】
上述したように、インターフェース回路１２ｂは、制御信号を整流した信号のうち、制御方式の特定により適した信号をマイコン１３に出力する。このため、インターフェース回路１２ｂを有する照明装置５は、マイコン１３が実行する処理の負荷を軽減することができる。
【００７０】
［インターフェース回路の第３の変形例］
図８に示したインターフェース回路１２ａは、整流部１５ａが制御信号を各極について半波整流した２つの信号を出力した。ここで、インターフェース回路１２ａからマイコン１３に出力する信号を１系統にまとめるため、整流部１５ａの出力を単純に合成した場合は、インターフェース回路１２ａに複極信号が入力された際に、直流電圧が出力されてしまう。そこで、インターフェース回路１２ａは、整流部１５ａの各出力＃１と出力＃２とにそれぞれ立上り遅延を加え、立上り遅延を加えた各出力＃１と出力＃２とを１系統にまとめてマイコン１３に出力してもよい。
【００７１】
図１０は、第１の実施形態に係るインターフェース回路の第３の変形例を説明する図である。図１０に示すように、インターフェース回路１２ｃは、整流部１５ａ、立上り遅延回路２３ａ、立上り遅延回路２３ｂ、合成部２４を有する。立上り遅延回路２３ａは、整流部１５ａの出力＃１から出力される信号の立上りタイミングを遅延させる回路であり、例えば、時定数を発生させ、立上りを遅延させるＣＲ回路である。また、立上り遅延回路２３ｂは、整流部１５ａの出力＃２から出力される信号の立上りタイミングを遅延させる回路であり、例えば、立上り遅延回路２３ａと同様のＣＲ回路である。また、合成部２４は、各立上り遅延回路２３ａ、２３ｂが出力する信号を合成し、合成した信号をマイコン１３に出力する。
【００７２】
以下、図１１を用いて、インターフェース回路１２ｃが出力する信号の波形について説明する。図１１は、半波整流した制御信号の立上りを遅延させて合成した際の波形を示す図である。なお、図１１には、整流部１５ａに入力される制御信号、出力＃１、立上り遅延回路２３ａが出力する信号、出力＃２、立上り遅延回路２３ｂが出力する信号、合成部２４が出力する信号の波形をそれぞれ記載した。また、図１１に示す例では、グランド電位を点線で記載し、各信号の立上り、立下りタイミングを一点破線で記載した。
【００７３】
また、図１１に示すタイミングＴ１〜Ｔ８のうち、タイミングＴ１、Ｔ３、Ｔ５、Ｔ７は、制御信号の立上りおよび立下りタイミングである。また、タイミングＴ２、Ｔ４、Ｔ６、Ｔ８は、各立上り遅延回路２３ａ、２３ｂによって遅延されたタイミングＴ１、Ｔ３、Ｔ５、Ｔ７に対応する。
【００７４】
例えば、図１１に示す例では、整流部１５ａに対し、複極信号である制御信号が入力される。ここで、整流部１５ａに入力される制御信号は、タイミングＴ１で電位が「Ｈｉｇｈ」に立上り、タイミングＴ３で電位が「Ｌｏｗ」に立下がる。また、制御信号は、タイミングＴ５で電位が「Ｈｉｇｈ」に立上り、タイミングＴ７で電位が「Ｌｏｗ」に立下がる。
【００７５】
かかる制御信号が入力された場合、出力＃１からは、制御信号の正極側が整流された信号が出力される。この結果、立上り遅延回路２３ａは、整流された信号であって、タイミングＴ２で電位が「Ｈｉｇｈ」に立上り、タイミングＴ３で電位が「Ｌｏｗ」に立下がり、タイミングＴ６で電位が「Ｈｉｇｈ」に立上り、タイミングＴ７で電位が「Ｌｏｗ」に立下がる信号を出力する。
【００７６】
また、出力＃２からは、制御信号の負極側が整流された信号が出力される。詳細には、出力＃２からは、タイミングＴ１で電位が「Ｌｏｗ」に立下がり、タイミングＴ３で電位が「Ｈｉｇｈ」に立上り、タイミングＴ５で電位が「Ｌｏｗ」に立下がり、タイミングＴ７で電位が「Ｈｉｇｈ」に立上がる信号が出力される。このため、立上り遅延回路２３ｂは、タイミングＴ１で電位が「Ｌｏｗ」に立下がり、タイミングＴ４で電位が「Ｈｉｇｈ」に立上り、タイミングＴ５で電位が「Ｌｏｗ」に立下がり、タイミングＴ８で電位が「Ｈｉｇｈ」に立上がる信号が出力される。
【００７７】
この結果、合成部２４は、タイミングＴ１で電位が「Ｌｏｗ」に立下がり、タイミングＴ２で電位が「Ｈｉｇｈ」に立上り、タイミングＴ３で電位が「Ｌｏｗ」に立下がり、タイミングＴ４で電位が「Ｈｉｇｈ」に立上がる信号を出力する。また、合成部２４は、タイミングＴ５で電位が「Ｌｏｗ」に立下がり、タイミングＴ６で電位が「Ｈｉｇｈ」に立上り、タイミングＴ７で電位が「Ｌｏｗ」に立下がり、タイミングＴ８で電位が「Ｈｉｇｈ」に立上がる信号を出力する。
【００７８】
このように、整流部１５ａの出力＃１および出力＃２を単純に合成した場合には、インターフェース回路１２ｃは、直流電圧を出力してしまい、マイコン１３が制御内容を特定できない。しかしながら、合成部２４は、出力＃１および出力＃２の信号の立上りをそれぞれ遅延させた信号を合成してマイコン１３に出力する。この結果、合成部２４は、制御信号の電位が変化するタイミングで電位が変化する信号を出力するので、制御信号が示す制御内容を特定できる信号を１系統で出力できる。
【００７９】
すなわち、合成部２４が出力する信号は、制御信号の電位が変化するタイミングと同じタイミングで電位が変化するので、マイコン１３は、合成部２４が出力する信号から、制御信号の周波数等を特定することができる。この結果、マイコン１３は、１系統で出力された信号から制御信号に対応する制御方式や制御内容を特定できる。例えば、マイコン１３は、インターフェース回路１２ｃが出力した信号の立下りタイミングを特定し、特定した立下りタイミングに応じて、制御信号が示す制御内容を特定すればよい。
【００８０】
［特定処理の実行タイミングについて］
上述した照明装置５は、設置時等に、受信した制御信号に対応する制御方式を特定し、特定した制御方式にそって、制御信号から制御を導出し、導出した制御をＬＥＤ９に対して実行した。しかしながら、実施例はこれに限定されるものではない。
【００８１】
例えば、照明装置５は、所定の時間間隔で、受信した制御信号に対応する制御方式を特定してもよい。詳細には、受信部１６は、所定の時間間隔で、インターフェース回路１２から受信した各信号を所定の時間間隔分だけ特定部１７に出力することで、信号の出力先となる制御部を所定の時間間隔で更新してもよい。かかる処理を実行することで、上位装置２の制御方式が変更された場合にも、照明装置５は、照明器具の制御を適切に行うことができる。
【００８２】
また、上位装置２と照明装置５との通信線上でノイズが発生した場合は、制御信号の波形が変化するので、照明装置５が適切な制御方式を特定できなくなる場合が考えられる。そこで、上位装置２は、照明システム１の設置時等、所定のタイミングで、制御方式を示す方式信号を出力し、照明装置５は、受信した方式信号が示す制御方式の規約に基づいて、制御信号が示す内容の制御を行っても良い。
【００８３】
例えば、上位装置２は、照明システム１の設置時に、制御方式がＴ／Ｆｌｅｃｓである旨の方式信号を照明装置５に出力する。かかる場合、照明装置５のマイコン１３が有する特定部１７は、制御方式がＴ／Ｆｌｅｃｓであると判定し、Ｔ／Ｆｌｅｃｓの規約に従ってＬＥＤ９の制御を行う制御部１８を受信部１６に通知してもよい。かかる処理を実行することで、照明システム１は、照明装置５が制御方式を誤特定するのを防止することができる。
【００８４】
［特定処理の実行モード］
また、照明装置５は、制御方式の特定処理を実行するための特定モードを備えても良い。例えば、マイコン１３の受信部１６は、動作モードとして、通常動作モードと特定モードとを備える。ここで、通常動作モードとは、特定部１７から指定された制御部に対し、受信した信号を出力するモードであり、特定モードとは、受信した信号を特定部１７に出力するモードである。
【００８５】
また、受信部１６は、照明装置５の設置時、上位装置２から所定の信号を受信した場合、照明装置５に設置されたボタンや照明装置５のリモコンを介して、利用者から特定モードで動作するよう指示された場合等には、特定モードで動作し、受信した信号を特定部１７に出力する。そして、受信部１６は、特定部１７から制御部の指示を受信した場合は、通常動作モードに移行し、その後受信した信号を指定された制御部へ出力する。一方、受信部１６は、特定モード以外の場合には、受信した信号を特定部１７に出力しない。かかる処理を実行することで、照明装置５は、制御方式の誤特定を防ぐので、照明器具を適切に制御できる。
【００８６】
［マイコン１３の変形例］
上述したマイコン１３は、受信した制御信号を用いて、受信した制御信号に対応する制御方式を特定した。しかしながら、実施例はこれに限定されるものではない。例えば、フェイルセーフを考慮し、マイコン１３は、ピンスイッチやジップスイッチ等を有し、利用者がピンスイッチやジップスイッチを操作することで指定された制御方式にそって、制御信号が示す制御を導出しても良い。
【００８７】
図１２は、第１の実施形態に係るマイコンの第１の変形例を説明する図である。図１２に示す例では、マイコン１３ａは、複数のピンスイッチ２５ａ〜２５ｄを有する。なお、図１２では、記載を省略したが、マイコン１３ａは、図２に示すマイコン１３と同様に、インターフェース回路１２と制御回路１４とに接続されているものとする。
【００８８】
ここで、ピンスイッチ２５ａ、２５ｂは、スイッチを介して、グランドと接続されており、かかるスイッチのオン／オフを切り替え、ピンスイッチ２５ａ、２５ｂに印加される電位を「Ｈｉｇｈ（浮遊電圧）」または「Ｌｏｗ（グランド電位）」で切替えることができる。利用者は、かかるスイッチを切替し、ピンスイッチ２５ａ、２５ｂに印加される電位の組み合わせを変更することで、制御方式の種別をマイコン１３ａに指示する。この結果、マイコン１３ａは、利用者が指示した種別の制御方式にそって、制御信号から制御内容を導出するので、適切に照明器具の制御を行うことができる。
【００８９】
次に、図１３を用いて、マイコン１３ａの機能構成の一例について説明する。図１３は、第１の実施形態に係るマイコンが有する機能構成の変形例を説明する図である。図１３に示すように、マイコン１３ａは、各ピンスイッチ２５ａ〜２５ｄと接続された特定部１７ａを有する。特定部１７ａは、各ピンスイッチ２５ａ〜２５ｄのうち、電圧が印加された入力部の組み合わせに応じて、上位装置２の制御方式の種別を特定し、特定した制御方式に対応する制御部を受信部１６に通知する。
【００９０】
図１４は、ピンスイッチと特定する制御方式との対応の一例を示す図である。例えば、特定部１７ａは、ピンスイッチ２５ａ、２５ｂの電位が両方とも「Ｈｉｇｈ」である場合には、特定部１７と同様に、制御信号の波形等から制御方式を特定する。また、特定部１７ａは、ピンスイッチ２５ａの電位が「Ｈｉｇｈ」であり、ピンスイッチ２５ｂの電位が「Ｌｏｗ」である場合は、制御方式がＴ／Ｆｌｅｃｓであると特定する。また、特定部１７ａは、ピンスイッチ２５ａの電位が「Ｌｏｗ」であり、ピンスイッチ２５ｂの電位が「Ｈｉｇｈ」である場合は、制御方式がＤＡＬＩであると特定する。また、特定部１７ａは、ピンスイッチ２５ａ、２５ｂの電位が両方とも「Ｌｏｗ」である場合は、制御方式がＰＷＭであると特定する。
【００９１】
なお、マイコン１３ａは、電圧が印加されたピンスイッチの組み合わせではなく、ピンスイッチに印加された電圧の値に応じて、制御方式の特定を行っても良い。例えば、図１５は、第１の実施形態に係るマイコンの第２の変形例を説明する図である。図１５に示す例では、マイコン１３ｂは、ピンスイッチ２５ａおよび可変抵抗器２６を介して、固定電位２７が供給される。なお、可変抵抗器２６の抵抗値を変更するスライダは、利用者が操作しやすいように照明装置５の表面に設置される。また、マイコン１３ｂは、ピンスイッチ２５ａおよび抵抗器２８を介してグランドと接続される。
【００９２】
利用者は、可変抵抗器２６の抵抗値を変更することで、ピンスイッチ２５ａに印加される電位を変更することで、制御方式の種別をマイコン１３ｂに指示する。この結果、マイコン１３ｂは、特定対象となる制御方式の種別が多い場合にも、ピンスイッチ２５ａ〜２５ｄの数を増加させずともよい。
【００９３】
図１６は、ピンスイッチに印加される電圧の値と特定する制御方式との対応の一例を示す図である。例えば、マイコン１３ｂは、ピンスイッチ２５ａに印加される電圧の値が「０〜１．２５Ｖ」である場合は、特定部１７と同様に、制御信号の波形等から制御方式を特定する。またマイコン１３ｂは、ピンスイッチ２５ａに印加される電圧の値が「１．２６〜２．５Ｖ」である場合は、制御方式がＴ／Ｆｌｅｃｓであると特定する。またマイコン１３ｂは、ピンスイッチ２５ａに印加される電圧の値が「２．６〜３．７５Ｖ」である場合は、制御方式がＤＡＬＩであると特定する。またマイコン１３ｂは、ピンスイッチ２５ａに印加される電圧の値が「３．７６〜５Ｖ」である場合は、制御方式がＰＷＭであると特定する。
【００９４】
上述したように、マイコン１３ａ、１３ｂは、複数のピンスイッチ２５ａ〜２５ｄを有し、各ピンスイッチ２５ａ〜２５ｄに印加された電圧の値、または、電圧が印加されたピンスイッチ２５ａ〜２５ｄの組み合わせに応じて、制御方式の特定を行う。このため、照明装置５は、利用者が指定する種別の制御方式にそって、制御信号から制御を導出し、導出した制御を実行するので、誤動作を防止し、適切に照明器具の制御を行うことができる。
【００９５】
なお、上述した説明において、各ピンスイッチ２５ａ〜２５ｄに印加された電圧の値、または、電圧が印加されたピンスイッチ２５ａ〜２５ｄの組み合わせに応じて特定される制御方式の種別は、あくまで一例である。すなわち、マイコン１３ａ、１３ｂは、Ｔ／Ｆｌｅｃｓ、ＤＡＬＩ、ＰＷＭ以外にも、任意の種別の制御方式を特定してもよい。
【００９６】
本発明の実施形態を説明したが、実施形態は、例として提示したものであり、発明の範囲を限定することは意図していない。実施形態は、その他の様々な形態で実施されることが可能であり、発明の要旨を逸脱しない範囲で、種々の省略、置き換え、変更を行うことができる。実施形態やその変形は、発明の範囲や要旨に含まれると同様に、特許請求の範囲に記載された発明とその均等の範囲に含まれるものである。
【符号の説明】
【００９７】
１  照明システム
２  上位装置
３、４  通信部
５〜８  照明装置
９  ＬＥＤ
１０  電源制御部
１１  電源回路
１２、１２ａ、１２ｂ、１２ｃ  インターフェース回路
１３、１３ａ、１３ｂ  マイコン
１４  制御回路
１５、１５ａ  整流部
１６  受信部
１７、１７ａ  特定部
１８〜２０  制御部
２１  整流回路
２２  スイッチ
２３ａ、２３ｂ  立上り遅延回路
２４  合成部
２５ａ〜２５ｄ  ピンスイッチ
２６  可変抵抗器
２７  固定電位
２８  抵抗器
【図１】
0006311950.tif 000002
【図２】
0006311950.tif 000003
【図３】
0006311950.tif 000004
【図４】
0006311950.tif 000005
【図５】
0006311950.tif 000006
【図６】
0006311950.tif 000007
【図７】
0006311950.tif 000008
【図８】
0006311950.tif 000009
【図９】
0006311950.tif 000010
【図１０】
0006311950.tif 000011
【図１１】
0006311950.tif 000012
【図１２】
0006311950.tif 000013
【図１３】
0006311950.tif 000014
【図１４】
0006311950.tif 000015
【図１５】
0006311950.tif 000016
【図１６】
0006311950.tif 000017